(57)【要約】【課題】軸筒部材と端部部材との螺合による装着が外れにくい構造にすると共に、当該構造により筆記具の見栄えが悪くなることがない筆記具の軸筒構造を提供とすることを目的とする。【解決手段】軸筒部材の端部に端部部材を着脱可能に螺合する筆記具の軸筒構造であって、軸筒部材の端部の外周面に雄螺子部を形成し、端部部材の内周面に軸筒部材の雄螺子部と螺合する雌螺子部を形成すると共に雌螺子部より内方の位置にＯリングを係止する係止溝を形成し、端部部材を軸筒部材へ螺合した際に、端部部材の係止溝に係止したＯリングが軸筒部材の端部に接して弾発する構造を特徴とした筆記具の軸筒構造。【選択図】図５
2009061630.tif 000002
【特許請求の範囲】
【請求項１】
軸筒部材の端部に端部部材を着脱可能に螺合する筆記具の軸筒構造であって、前記軸筒部材の端部の外周面に雄螺子部を形成し、前記端部部材の内周面に前記軸筒部材の雄螺子部と螺合する雌螺子部を形成すると共に該雌螺子部より内方の位置にＯリングを係止する係止溝を形成し、該端部部材を前記軸筒部材へ螺合した際に、前記端部部材の係止溝に係止したＯリングが前記軸筒部材の端部に接して弾発する構造を特徴とした筆記具の軸筒構造。
【請求項２】
前記軸筒が前軸部材と後軸部材とを有し、前記後軸部材を前記前軸部材に対して回転させることにより、前記軸筒内に収容した筆記体の先端を該軸筒の先端開口部から出没させる構造の回転繰出式の筆記具の軸筒であり、前記端部部材が前記後軸部材の後端部に螺合する尾冠であることを特徴とした請求項１に記載の筆記具の軸筒構造。
【発明の詳細な説明】
【技術分野】
【０００１】
本発明は、軸筒部材の端部に端部部材を着脱可能に螺合する筆記具の軸筒構造に関する。
【背景技術】
【０００２】
従来より筆記具の軸筒構造において、例えば筆記具本体の後端側に尾冠を、あるいはキャップ本体の先端側に頭冠を装着する筆記具の軸筒構造はよく知られている。これら尾冠や頭冠である端部部材は、軸筒本体やキャップ本体である軸筒部材に対して、一般的には嵌合や螺合によって装着されている。特に軸筒本体の端部内に消しゴムを挿着し、当該消しゴムを被覆するように端部部材を装着した構造の筆記具では、消しゴムを使用する際には端部部材の着脱が伴うため、端部部材の緩みや脱落を防止できるように、螺合による装着方法が多く採用されている。
【０００３】
またこの螺合による装着をさらに外れにくい構造とするために、例えば先行文献１や先行文献２の図に見られるような構造を採用しているのものが市場に普及されている。先行文献１の構造では、後軸の後端部の外周面に形成した溝部に、弾性体であるＯリングを係止させて配設することで、尾冠を後軸に装着した際に、尾冠の前端部が後軸に配設したＯリングを弾発して尾冠の緩みを防止できる構造としてある。先行文献２の構造では、大キャップに突起を設けると共に、大キャップの端部に螺合する小キャップに前記大キャップの突起に対応する凸部を設け、小キャップを大キャップに螺合する際に、小キャップの凸部が大キャップの突起を乗り越えて緩みを防止できる構造としてある。
【特許文献１】特開２００５−１６１８２９号公報
【特許文献２】特開２００２−３６２０８２号公報
【発明の開示】
【発明が解決しようとする課題】
【０００４】
しかしながら、先行文献１の構造では、尾冠を後軸から外した際に、Ｏリングが外部に露呈してしまうことから、Ｏリングの損傷や脱落が生じやすく、また弾性体からなるＯリングが露呈することによって、筆記具の高級感を低減させてしまう場合があった。また先行文献２の構造では、大キャップの外側面および小キャップの内側面に対し、突起や凸部を形成する必要があり、大キャップや小キャップを樹脂材にて射出成形する以外の方法、例えば金属材の切削加工等では成形が困難であった。
【０００５】
本発明はこうした問題を鑑みて、軸筒部材と端部部材との螺合による装着が外れにくい構造にすると共に、当該構造により筆記具の見栄えが悪くなることがない筆記具の軸筒構造を提供とすることを目的とする。
【課題を解決するための手段】
【０００６】
本発明は、
「１．軸筒部材の端部に端部部材を着脱可能に螺合する筆記具の軸筒構造であって、前記軸筒部材の端部の外周面に雄螺子部を形成し、前記端部部材の内周面に前記軸筒部材の雄螺子部と螺合する雌螺子部を形成すると共に該雌螺子部より内方の位置にＯリングを係止する係止溝を形成し、該端部部材を前記軸筒部材へ螺合した際に、前記端部部材の係止溝に係止したＯリングが前記軸筒部材の端部に接して弾発する構造を特徴とした筆記具の軸筒構造。
２．前記軸筒が前軸部材と後軸部材とを有し、前記後軸部材を前記前軸部材に対して回転させることにより、前記軸筒内に収容した筆記体の先端を該軸筒の先端開口部から出没させる構造の回転繰出式の筆記具の軸筒であり、前記端部部材が前記後軸部材の後端部に螺合する尾冠であることを特徴とした１項に記載の筆記具の軸筒構造。」である。
【発明の効果】
【０００７】
本発明の筆記具の軸筒構造は、軸筒部材の端部に端部部材を螺合した際に、端部部材に係止したＯリングが軸筒部材の端部に接して弾発するので、軸筒部材と端部部材との螺合が外れにくいものとなる。また、Ｏリングが端部部材の内部に位置することから、Ｏリングをシリコンやウレタンからなる弾性体とした場合においても、筆記具の見栄えが悪くなることがないと同時に、Ｏリングが端部部材内にあることから、当該Ｏリングが損傷を受けにくく、さらに軸筒部材の端部が端部部材内のＯリングを奥に押し込む方向へ圧接するため、Ｏリング自体が抜け落ちてしまうことを防止できる。
【発明を実施するための最良の形態】
【０００８】
次に図面を参照しながら、本発明の筆記具の軸筒構造の実施例について説明するが、本発明は以下の実施例に限定されるものではない。本実施例の筆記具は、軸筒が前軸と後軸とを有し、後軸を前軸に対して回転させることにより、軸筒内に収容したシャープペンシルユニットおよびボールペンレフィルの筆記先端を、軸筒の先端開口部から出没させる構造の回転繰出式複合筆記具について説明を行う。尚、図中の同じ部材、同じ部品については、同じ符号としてある。また、筆記先端がある側を前方と表現し、その反対方向を後方と表現する。
【０００９】
図１は本実施例の回転繰出式複合筆記具である。筆記具１は、前軸部材２と、当該前軸部材２に対して回転する後軸部材３と、当該後軸部材３の後端部３ａに配設した尾冠４とで、軸筒５を構成してあり、後軸部材３を前軸部材２に対して回転操作することにより、軸筒５内に具備した回転カム機構（図示せず）を作動させ、図１に示すように軸筒５内に収容したシャープペンシルユニットの先端筆記６やボールペンレフィルの筆記先端（図示せず）を、前軸部材２の先端開口部２ａから出没させることができる構造である。尚、シャープペンシルユニットの先端６を突出させた状態で、後軸部材３を前軸部材２に対して前進させることにより、シャープペンシルユニットの筆記先端６から鉛芯７を繰り出すことができる。また後軸部材３の後方にはクリップ８を付設してある。
【００１０】
図２は後軸部材から尾冠を外した状態の図である。図２に示すように後軸部材３の後端部３ａには小径部３ｂを設けてあり、該小径部３ｂの外周面には雄螺子部３ｃを形成してある。また、後軸部材３の後端開口部３ｄには、前記鉛芯７で筆記した筆跡を消すための消しゴム９を挿着してある。図３は図２の一部を断面としたもので、理解しやすいように、前述の消しゴム９を後端開口部３ｄから外した状態の図である。図３に示すように、尾冠４の前端開口部４ａの内周面には雌螺子部４ｂを形成してある。雌螺子部４ｂは後軸部材３に形成した雄螺子部３ｃに着脱可能に螺合する。また、雌螺子部４ｂより内方の位置には係止溝４ｃを円周状に形成してあり、当該係止溝４ｃにＯリング１０を係止してある。図４は図３の一部端面図である。尾冠４内に形成した係止溝４ｃは、雌螺子部４ｂ側となる前方壁４ｄと、前方壁４ｄから後方へ垂設した側壁４ｅと、側壁４ｅの後端から前方壁４ｄと同様に軸心方向に対して直交する後方壁４ｆとで構成してある。本実施例では、尾冠４の側壁４ｅに対し、後方壁４ｆが前方壁４ｄより軸心側に突出した状態である。Ｏリング１０は係止溝４ｃにその断面の半分以上を係止させ固定してある。
【００１１】
図５は尾冠を後軸部材の後端部に螺合した状態で、要部を断面とした図である。図６は図５の一部端面図である。本実施例では図５に示すように、尾冠４を後軸部材３の後端部３ａに螺合させた際に、Ｏリング１０が後軸部材３の後端部３ａに接する構造としてある。また図６に示すように、尾冠４が後軸部材３に螺合した状態で、Ｏリング１０は後軸部材３の後端部３ａに押されて変形するので、結果的にＯリング１０が後軸部材３の後端部３ａを前方（図面下方）へ弾発して、尾冠４の緩み止めとなった。尚、本実施例では尾冠４の係止溝４ｃの後方壁４ｆが、軸心側に突出しているので、Ｏリング１０が後軸部材３によって後方へ押された際にも、後方壁４ｆがＯリング１０の支えとなり、Ｏリング１０が尾冠４の内方（図面上方）にずれてしまうことを防止してある。尚、本実施例では、図２に示すように、尾冠４を後軸部材３から外した状態においても、Ｏリング１０が外部に露呈しないので、Ｏリング１０の存在によって筆記具の見栄えが悪くなることはなかった。
【００１２】
また、本実施例の筆記具は前記の通り回転繰出式の複合筆記具であるため、使用時においてシャープペンシルユニットやボールペンレフィルの筆記先端を出没させる際に、図１で示した前軸部材２に対し後軸部材３を回転操作することとなるが、後軸部材３の回転操作時に指が尾冠４に触れた場合においても、尾冠４が緩んでしまうことはなかった。
【００１３】
図７は比較例の図であり、前述の先行文献１の図に見られるような従来より市場に普及されている構造のものである。図８は図７の尾冠を後軸部材に螺合した状態の一部端面図である。比較例では、後軸部材３０の後端部３０ａに形成した雄螺子部３０ｃの前方に、円周状の係止溝３０ｄを形成してあり、当該係止溝３０ｄにＯリング１０を係止させている。また、尾冠４０の前端開口部４０ａの内周面に形成した雌螺子部４０ｂを、後軸部材３０の雄螺子部３０ｃに螺合させることにより、Ｏリング１０が尾冠４０の前端に押圧されて変形し、結果的にＯリング１０が尾冠４０の前端を後方（図面上方）へ弾発して尾冠４０の緩み止めとなる。他の点は前記本発明の実施例と同様であるため説明を省略する。尚、図７に示すように比較例では、尾冠４０を後部軸筒３０から外した状態の時に、Ｏリング１０が外部に露呈してしまうので、Ｏリング１０が損傷を受けやすく、見栄えも悪くなってしまった。また比較例では、尾冠４０を後軸部材３０に螺合した状態においてＯリング１０を見えなくするように、尾冠４０の前端に円周状の被覆部４０ｃを設けるため、尾冠４０の前端が厚くなってしまい、前述の本実施例の尾冠４と比較例の尾冠４０の外径が同じである場合には、結果的に比較例の尾冠４０の内径が小さくなり、後軸部材３０に挿着する消しゴム（図示せず）の外径を小さくする必要が生じてしまった。
【産業上の利用可能性】
【００１４】
本発明による筆記具の軸筒構造は、筆記具用の軸筒としてだけでなく、化粧具や塗布具等の軸筒に用いることも可能である。
【図面の簡単な説明】
【００１５】
【図１】本実施例の回転繰出式複合筆記具である。
【図２】後軸部材から尾冠を外した状態の図である。
【図３】図２の一部を断面としたものである。
【図４】図３の一部端面図である。
【図５】尾冠を後軸部材の後端部に螺合した状態で、要部を断面とした図である。
【図６】図５の一部端面図である。
【図７】比較例の図である。
【図８】図７の尾冠を後軸部材に螺合した状態の一部端面図である。
【符号の説明】
【００１６】
１…筆記具、２…前軸部材、２ａ…先端開口部、
３…後軸部材、３ａ…後端部、３ｂ…小径部、
３ｃ…雄螺子部、３ｄ…後端開口部、
４…尾冠、４ａ…前端開口部、４ｂ…雌螺子部、
４ｃ…係止溝、４ｄ…前方壁、４ｅ…側壁、４ｆ…後方壁、
５…軸筒、
６…筆記先端、７…鉛芯、
８…クリップ、９…消しゴム、
１０…Ｏリング。
【図１】
2009061630.tif 000003
【図２】
2009061630.tif 000004
【図３】
2009061630.tif 000005
【図４】
2009061630.tif 000006
【図５】
2009061630.tif 000007
【図６】
2009061630.tif 000008
【図７】
2009061630.tif 000009
【図８】
2009061630.tif 000010